(57)【要約】【課題】  幼児が安全で永く使用でき、ボールの搬送を人形が回転しながら行うという意外性のある動きによって楽しく興趣に尽きない玩具を提供する。【解決手段】  基板１の下端にボール３を載せるボール載置台３５を配置する一方、上端にはボール受部２１とボール３を搬送する人形４を配置すると共に、ボール３が転動するスロープ２２、２３、２４を設け、基板１の背面には人形の回動手段６０を設けてある。この人形の回動手段６０を基板１に取り付けた円弧状のギア５１と、この円弧状のギア５１に噛合する人形４を固定したギア６４と、このギア６４に連動する錘７０からなる。【選択図】  図１
0003121178.tif 000002
【実用新案登録請求の範囲】
【請求項１】
立設した基板の下端にボール載置台を設け、上端にボール受部を設けると共に、上記ボール受部からボール載置台の間にボール転動用のスロープを構成する一方、
基板の裏面にはボールを上記ボール載置台からボール受部まで搬送する人形の作動機構を構成し、
上記人形の作動機構を、基板に回動自在に取り付けたレバーと、このレバーによって作動する上端に人形の回動手段を構成した回動杆と、上記人形の回動手段に固定したボールを搬送する人形によって構成し、
上記レバーを下降することで人形を下端に移動させてボールを掴ませ、レバーを上昇させることで人形を回転させながらボールを上端まで搬送しスロープによってボールを転動させるボール転動玩具。
【請求項２】
上記人形の回動手段を、基板に取り付けた円弧状のギアと、この円弧状のギアに噛合する人形を固定したギアと、このギアに連動する錘からなることを特徴とする請求項１記載のボール転動玩具。
【考案の詳細な説明】
【技術分野】
【０００１】
本考案は、スロープの上にボールをころがせて遊ぶ玩具であり、特に下方においてあるボールを簡易な操作で確実に上方へ搬送できるボール転動玩具に関する。
【背景技術】
【０００２】
従来よりスロープの上からボール等の転動体を転動させて遊ぶ玩具があった。特許文献１に記載の考案は、旋回落下ボール・タワー玩具であり、所定の寸法のボールを中空筒体内へほぼ上方へ打ち上げるボール打上げ機構を備え、ボールはこの打上げ機で玩具の上端に打ち上げられて、案内路を下端まで転動していくものである。
【特許文献１】実用新案登録第３０７５７１４号
【０００３】
上記玩具のボール打上げ機構は、常時ばねによってケーシングから突出して保持され、かつ先端がボールを上昇させるプッシュロットに連動しているプッシングボタンを構成し、このプッシングボタンを打撃することでボールは筒体内を飛んで頂部本体に至り、そこで方向を変えて案内路へと転がっていくのである。
【考案の開示】
【考案が解決しようとする課題】
【０００４】
上記の玩具のボール打上げ機構は、ボールを上方に飛ばして頂部本体まで確実に届けなくてはならないためプッシュボタンを強い力で打撃しなくてはならず、幼児にとっては困難な作業である。またプッシュボタンを打撃する作業によって、プッシュボタンならびに機構自体に強い衝撃が加わり故障の原因ともなる。
【０００５】
本考案は上記のような従来例の問題点を解決するものであり、幼児が手で操作してボールを下方から上方に確実に搬送できる機構を用いたため玩具自体に無理がなく安全で永き使用に耐えるものであり、かつボールの搬送は人形が回転しながら行なうというかわいらしく意外性のある動きによって、楽しく興趣に尽きない玩具を提供するものである。
【課題を解決するための手段】
【０００６】
本考案の要旨とするところは、立設した基板の下端にボール載置台を設け、上端にボール受部を設けると共に、上記ボール受部からボール載置台の間にボール転動用のスロープを構成する一方、基板の裏面にはボールを上記ボール載置台からボール受部まで搬送する人形の作動機構を構成し、上記人形の作動機構を、基板に回動自在に取り付けたレバーと、このレバーによって作動する上端に人形の回動手段を構成した回動杆と、上記人形の回動手段に固定したボールを搬送する人形によって構成し、上記レバーを下降することで人形を下端に移動させてボールを掴ませ、レバーを上昇させることで人形を回転させながらボールを上端まで搬送しスロープによってボールを転動させるボール転動玩具である。
【０００７】
また、本考案の要旨とするところは、上記人形の回動手段を、基板に取り付けた円弧状のギアと、この円弧状のギアに噛合する人形を固定したギアと、このギアに連動する錘からなるボール転動玩具である。
【考案の効果】
【０００８】
本発明は、幼児が安全に操作でき、確実にボールを下方から上方に搬送できると共に永き使用に耐えるものであり、かつボールの搬送方法に意外性があり面白いものであるため楽しく興趣に尽きない効果を奏する。
【考案を実施するための最良の形態】
【０００９】
図は本考案の一実施形態を示すもので、図１は初期状態の正面図、図２は同背面図、図３は作動状態を説明する正面図、図４は同背面図、図５は人形の回動手段を説明する正面図、図６は同平面図、図７は作動状態を説明する背面図及び図８はボールを上端に搬送した状態の正面図である。
【００１０】
本実施形態の概略を説明すると、卓上に立設した基板１の下端にボール３を載せるボール載置台３５を配置する一方、基板１の上端にはボール受部２１とボール３を搬送する人形４を配置すると共に、ボール３が転動するスロープ２２、２３、２４、２５を設け、基板１の背面には人形の回動手段６０を設けてある。
この人形の回動手段６０はレバー４１を手で下降して作動させ、上記人形４を基板１に設けたスリット１１に沿って下降させて下端のボール３を掴ませ、その後、上記レバー４１を手から離すと人形４はスリット１１に沿って回転しながら上昇し、ボール３を上端に設けたボール受部２１まで運ぶのである。
なお、ここでボールとは本実施形態に使用できる転動可能なボール状のものを指し、人形とは同様にボールを搬送する搬送体を指すもので形状は問わない。
【００１１】
上記本実施形態の構成を詳細に説明する。
図１は、基板１の上端にボールの搬送体である人形４が停止している初期状態の正面図であり、図２は同背面図である。
基板１は卓上に立設配置され、一側縁がカーブしていてそのカーブに沿ってスリット１１が構成されている。
基板１の上端には、人形４が運んでくるボール３を受けるボール受部２１を設け、このボール受部２１の下方には運ばれてきたボール３を下方にころがすスロープ２２を設けてある。
また、基板１にはボール３を通過させるための通過孔１２を穿設し、通過孔１２の下方にはスロープ２３、２４、２５を連続して設け、スロープ２５の終端にボール載置台３５を構成してある。符号３９は基板１の固定台である。
【００１２】
基板１の背面には、上記人形４を上端から下端まで移動させるための作動機構が構成されている。この作動機構は、レバー４１と、このレバー４１に連動して移動する回動杆６１と、この回動杆６１の上端に設けた人形の回動手段６０等からなる。
【００１３】
レバー４１の上端は手で掴むため基板１の周縁より突出していて、下端は軸４３によって支持板４８上に回動自在に軸支されている。上記レバー４１の下端には補助レバー４４を一体に構成すると共に、この補助レバー４４の下端に突起部４５を構成してなり、この突起部４５は後述の如く回動杆６１の下端に設けた回動片６２の長円６２ａに移動自在に嵌合しているのである。
【００１４】
上記支持板４８は基板１上に固定されており、上記突起部４５が移動するためのガイドスリット４７を設けてある。
【００１５】
図２、図５、図６に示すように、上記人形の回動手段６０は、軸４６によって支持板４８に軸支された回動杆６１の上端に軸着したギア６４と、このギア６４に噛合するギア６５等からなる。このギア６４は、上記スリット１１に沿って基板１に固定された円弧状のギア５１と噛合すると共に、ギア６５と噛合している。
ギア６４の軸６４ａはスリット１１を貫通して、他端部に人形４を固定してある。
【００１６】
上記ギア６５の軸６５ａの端部に取り付けたギア６７は、一体に構成したギア６８を介してギア６９に連動していて、このギア６９には、人形がボール３を運ぶときに人形４のスピードを制御するための錘７０を固定してある。
【００１７】
図２に示すように上記回動杆６１の下端に一体に構成した取付片６３には、バネ４９の一端が固定されており、このバネ４９の他端は基板１に固定されている。従って取付片６３は常に図２の矢印Ａ方向に付勢されている。
また回動杆６１の下端には回動片６２を一体に構成し、この回動片６２に設けた長円６２ａには上記補助レバー４４の下端の突起部４５が移動自在に嵌合している。
一方、基板１の下端には、回動杆６１に設けた押圧片６６によって下方回動するレバー５９が軸５８によって軸支されている。
【００１８】
次に本実施形態の作用を説明する。
まず図１の初期状態から、レバー４１を掴んで最下端まで下降させると、人形４がボール３を掴み図３、図４の状態となる。
このときレバー４１の下方回動に伴って軸４３を中心に補助レバー４４が上方へ回動する。これによって、補助レバー４４先端に取り付けた突起部４５はガイドスリット４７に沿って上方へ回動して回動片６２を上方へ移動させるため、回動杆６１は軸４６を中心に下方へと回動する。
このときギア６４はギア６５と噛合し、かつギア５１と噛合しているから、人形の回動手段６０は安定した状態で作動する。
【００１９】
また、レバー４１の回動に伴って押圧片６６が、レバー５９を押圧して下方に回動せしめ同時に軸５８も回動するから、軸５８の他端に固定されたボール載置台３５は軸５８を中心に上方へ回動してボール３を持ち上げるため、人形４は確実にボール３を掴むことができるのである（図３参照）。
【００２０】
この後、レバー４１から手を離すとバネ４９のＡ方向への張力によって取付片６３が引っ張られて、回動杆６１は軸４６を中心に図４中時計方向に回動する。これによって、回動杆６１の下端の回動片６２も回動するから補助レバー４４の突起部４５は下方に回動し、これによってレバー４１は、軸４３を中心に上方（時計方向）に回動していく。
【００２１】
一方、ギア６４はギア５１と噛合して回転しながら上昇していくため、図７に示すようにギア６４の軸６４ａの先端に固定された人形４は回転しながら上昇していくことになる。
このとき錘７０は、人形４の上昇スピードを調節しながら上昇していく。また、上記の場合、レバー４１から手を離さずに、手を添わせながらゆっくりと上方に戻しても良い。
【００２２】
そして最終的に人形４は、ボール受部２１にボール３を置き、ボール３は人形４の手から離れる。その後、ボール３はボール受部２１からスロープ２２を転動し、通過孔１２、スロープ２３、スロープ２４、スロープ２５を経てボール載置台３５に落ちていくのである。
【図面の簡単な説明】
【００２３】
【図１】本考案の一実施形態を示す正面図
【図２】本考案の一実施形態を示す背面図
【図３】本考案の一実施形態の作動状態を説明する正面図
【図４】本考案の一実施形態の作動状態を説明する背面図
【図５】本考案の一実施形態の人形の回動手段を説明する正面図
【図６】本考案の一実施形態の人形の回動手段を説明する平面図
【図７】本考案の一実施形態の作動状態を説明する背面図
【図８】本考案の一実施形態を示す正面図
【符号の説明】
【００２４】
１  基板
３  ボール
４  人形
２１  ボール受部
２２  スロープ
２３  スロープ
２４  スロープ
２５  スロープ
３５  ボール載置台
４１  レバー
５１  ギア
６０  人形の回動手段
６１  回動杆
６４  ギア
７０  錘
【図１】
0003121178.tif 000003
【図２】
0003121178.tif 000004
【図３】
0003121178.tif 000005
【図４】
0003121178.tif 000006
【図５】
0003121178.tif 000007
【図６】
0003121178.tif 000008
【図７】
0003121178.tif 000009
【図８】
0003121178.tif 000010